(57)【要約】      （修正有）【課題】多様な両替ニーズに応えることができ、また、複数の貨幣を一度に筐体内に投入した場合でも正両替処理を一度に行うことができる貨幣処理装置、貨幣処理システムおよび貨幣処理方法を提供する。【解決手段】貨幣処理装置は、入力受付部により両替処理を行う旨の入力が受け付けられた場合に、機体内に投入された入金貨幣の金額に対応する出金貨幣の金種毎の数の構成に係る出金パターンを出力する出金パターン出力部と、出金パターン出力部により出力された出金パターンを表示する表示部と、表示部に表示される出金パターンを調整するための操作部と、出金パターン出力部により出力された出金パターンまたは操作部により調整された出金パターンに基づいて貨幣を機体外へ払い出すよう制御を行う制御部（例えば、硬貨釣銭機１００の上位制御部１２０）とを備えている。【選択図】図２
2016151848.tif 000002
【特許請求の範囲】
【請求項１】
ＰＯＳ端末に接続され、取引に伴う釣銭としての貨幣を払い出すとともに、受け入れた貨幣の両替処理を行うことができる貨幣処理装置であって、
両替処理を行う旨の入力を受け付ける入力受付部と、
前記入力受付部により両替処理を行う旨の入力が受け付けられた場合に、機体内に投入された入金貨幣の金額に対応する出金貨幣の金種毎の数の構成に係る出金パターンを出力する出金パターン出力部と、
前記出金パターン出力部により出力された前記出金パターンを表示する表示部と、
前記表示部に表示される前記出金パターンを調整するための操作部と、
前記出金パターン出力部により出力された前記出金パターンまたは前記操作部により調整された前記出金パターンに基づいて貨幣を機体外へ払い出すよう制御を行う制御部と、
を備えた、貨幣処理装置。
【請求項２】
前記操作部により、前記出金パターンにおける出金貨幣の金種毎の数を変更することができるようになっている、請求項１記載の貨幣処理装置。
【請求項３】
前記操作部により前記出金パターンにおける出金貨幣のある金種の数が変更されると、当該出金パターンにおける出金貨幣の他の金種の数が自動的に変更されるようになっている、請求項２記載の貨幣処理装置。
【請求項４】
前記出金パターン出力部は、一つの入金貨幣の金額に対して複数の前記出金パターンを出力することができるようになっており、
前記操作部により、前記出金パターン出力部により出力された複数の前記出金パターンからある一つの前記出金パターンを選択することができるようになっている、請求項１乃至３のいずれか一項に記載の貨幣処理装置。
【請求項５】
前記出金パターン出力部は、前記貨幣処理装置の機体内の貨幣の在高に基づいて、当該出金パターン出力部から出力される複数の前記出金パターンの優先順位を設定し、
前記表示部は、前記出金パターン出力部により設定された優先順位に基づいて各々の前記出金パターンを表示する、請求項４記載の貨幣処理装置。
【請求項６】
前記出金パターン出力部により出力されるべき前記出金パターンを設定するための設定部を更に備えた、請求項１乃至５のいずれか一項に記載の貨幣処理装置。
【請求項７】
前記出金パターン出力部において、入金貨幣の金額として複数の値が予め設定されており、当該出金パターン出力部は、入金貨幣の金額が予め設定された値である場合には、予め設定された前記出金パターンを出力するようになっており、
前記出金パターン出力部は、入金貨幣の金額が予め設定された値ではない場合でも前記出金パターンを演算して出力することができるようになっている、請求項１乃至６のいずれか一項に記載の貨幣処理装置。
【請求項８】
前記出金パターン出力部は、前記貨幣処理装置の機体内にバラ状態の貨幣および棒金硬貨がそれぞれ投入された場合でも、これらのバラ状態の貨幣および棒金硬貨の合計金額を入金貨幣の金額として前記出金パターンを出力することができるようになっている、請求項１乃至７のいずれか一項に記載の貨幣処理装置。
【請求項９】
前記出金パターン出力部は、前記出金パターンとして、バラ状態の貨幣および棒金硬貨の各々の金種毎の数の構成に係る出金パターンを出力することができるようになっている、請求項１乃至８のいずれか一項に記載の貨幣処理装置。
【請求項１０】
前記出金パターン出力部により前記出金パターンが出力された後、前記操作部により確定指令が前記制御部に与えられることにより貨幣が機体外へ払い出されるようになっており、
前記操作部により確定指令が前記制御部に与えられる前に前記貨幣処理装置の機体外への棒金硬貨の取り出しが許可されるようになっている、請求項９記載の貨幣処理装置。
【請求項１１】
前記出金パターン出力部により前記出金パターンが出力された後、前記操作部により確定指令が前記制御部に与えられることにより貨幣が機体外へ払い出されるようになっており、
前記操作部により確定指令が前記制御部に与えられた後に前記貨幣処理装置の機体外への棒金硬貨の取り出しが許可されるようになっている、請求項９記載の貨幣処理装置。
【請求項１２】
ＰＯＳ端末に接続され、取引に伴う釣銭としての貨幣を払い出すとともに、受け入れた貨幣の両替処理を行うことができる貨幣処理装置と、前記貨幣処理装置と通信可能に接続され、当該貨幣処理装置の管理を行う管理装置と、を備えた貨幣処理システムであって、
前記貨幣処理装置において両替処理を行う旨の入力を受け付ける入力受付部と、
前記入力受付部により前記貨幣処理装置において両替処理を行う旨の入力が受け付けられた場合に、当該貨幣処理装置の機体内に投入された入金貨幣の金額に対応する出金貨幣の金種毎の数の構成に係る出金パターンを出力する出金パターン出力部と、
前記出金パターン出力部により出力された前記出金パターンを表示する表示部と、
前記表示部に表示される前記出金パターンを調整するための操作部と、
前記出金パターン出力部により出力された前記出金パターンまたは前記操作部により調整された前記出金パターンに基づいて貨幣を前記貨幣処理装置の機体外へ払い出すよう制御を行う制御部と、
を備えた、貨幣処理システム。
【請求項１３】
ＰＯＳ端末に接続され、取引に伴う釣銭としての貨幣を払い出すとともに、受け入れた貨幣の両替処理を行うことができる貨幣処理装置による貨幣処理方法であって、
前記貨幣処理装置において両替処理を行う旨の入力を受け付ける工程と、
前記貨幣処理装置の機体内に貨幣を受け付ける工程と、
前記貨幣処理装置において両替処理を行う旨の入力が受け付けられた場合に、当該貨幣処理装置の機体内に投入された入金貨幣の金額に対応する出金貨幣の金種毎の数の構成に係る出金パターンを出力する工程と、
出力された前記出金パターンを表示部に表示する工程と、
前記表示部に表示される前記出金パターンを操作部により選択的に調整する工程と、
出力された前記出金パターンまたは前記操作部により調整された前記出金パターンに基づいて貨幣を前記貨幣処理装置の機体外へ払い出す工程と、
を備えた、貨幣処理方法。
【発明の詳細な説明】
【技術分野】
【０００１】
本発明は、ＰＯＳ端末に接続され、取引に伴う釣銭としての貨幣を払い出すとともに、受け入れた紙幣や硬貨等の貨幣の両替処理を行うことができる貨幣処理装置、このような貨幣処理装置を備えた貨幣処理システムおよびこのような貨幣処理装置による貨幣処理方法に関する。
【背景技術】
【０００２】
従来から、紙幣や硬貨等の貨幣の処理を行う貨幣処理機として様々なタイプのものが知られている。具体的には、紙幣釣銭機および硬貨釣銭機が組み合わせられた貨幣釣銭機がスーパーマーケットやコンビニエンスストア等の店舗のレジに設置されており、顧客から受け取った紙幣や硬貨を店員が貨幣釣銭機に入金するとともに、釣銭としての紙幣や硬貨が貨幣釣銭機から出金されるようになっている。また、貨幣釣銭機として、貨幣の両替処理を行うことができるものが従来から知られている（例えば、特許文献１等参照）。
【０００３】
特許文献１に開示される貨幣釣銭機では、受入貨幣の数に応じて、外部から受け入れた受入貨幣よりも低額の金種の両替貨幣を当該受入貨幣と等価となる組み合わせで放出させる正両替処理と、外部から受け入れた受入貨幣よりも高額の金種の両替貨幣を当該受入貨幣と等価となる組み合わせで放出させる逆両替処理とを自動選択的に行うことができるようになっている。具体的には、特許文献１に開示される貨幣釣銭機では、受入貨幣の数が１つである場合には正両替処理を行い、受入貨幣の数が複数である場合には逆両替処理を行うようになっている。
【先行技術文献】
【特許文献】
【０００４】
【特許文献１】特許第４５３６３３６号公報
【発明の概要】
【発明が解決しようとする課題】
【０００５】
従来の貨幣釣銭機では、複数の受け入れ貨幣に対しては逆両替を行うため、複数枚の貨幣（高額分の貨幣）に対して正両替を実施することができず、複数回の両替処理を行う必要があるという問題があった。また、従来の貨幣釣銭機において逆両替処理を行う際において、複数の貨幣を筐体内に投入した場合に、予め設定された単一の金種の貨幣しか両替貨幣として機体外に払い出すことができず、多様な両替ニーズに応えることができないという問題があった。
【０００６】
本発明は、このような点を考慮してなされたものであり、多様な両替ニーズに応えることができ、また、複数の貨幣を一度に機体内に投入した場合でも正両替処理を一度に行うことができる貨幣処理装置、貨幣処理システムおよび貨幣処理方法を提供することを目的とする。
【課題を解決するための手段】
【０００７】
本発明の貨幣処理装置は、ＰＯＳ端末に接続され、取引に伴う釣銭としての貨幣を払い出すとともに、受け入れた貨幣の両替処理を行うことができる貨幣処理装置であって、両替処理を行う旨の入力を受け付ける入力受付部と、前記入力受付部により両替処理を行う旨の入力が受け付けられた場合に、機体内に投入された入金貨幣の金額に対応する出金貨幣の金種毎の数の構成に係る出金パターンを出力する出金パターン出力部と、前記出金パターン出力部により出力された前記出金パターンを表示する表示部と、前記表示部に表示される前記出金パターンを調整するための操作部と、前記出金パターン出力部により出力された前記出金パターンまたは前記操作部により調整された前記出金パターンに基づいて貨幣を機体外へ払い出すよう制御を行う制御部と、を備えたことを特徴とする。
【０００８】
このような貨幣処理装置によれば、両替処理を行う際に、出金パターン出力部により出力された出金パターンに基づいて貨幣を機体外へ払い出したり、出金パターン出力部により出力された出金パターンを操作部により調整した後、調整された出金パターンに基づいて貨幣を機体外へ払い出したりすることができるため、多様な両替ニーズに応えることができ、また、複数の貨幣を一度に機体内に投入した場合でも正両替処理を一度に行うことができる。
【０００９】
本発明の貨幣処理装置においては、前記操作部により、前記出金パターンにおける出金貨幣の金種毎の数を変更することができるようになっていてもよい。
【００１０】
この場合、前記操作部により前記出金パターンにおける出金貨幣のある金種の数が変更されると、当該出金パターンにおける出金貨幣の他の金種の数が自動的に変更されるようになっていてもよい。
【００１１】
本発明の貨幣処理装置においては、前記出金パターン出力部は、一つの入金貨幣の金額に対して複数の前記出金パターンを出力することができるようになっており、前記操作部により、前記出金パターン出力部により出力された複数の前記出金パターンからある一つの前記出金パターンを選択することができるようになっていてもよい。
【００１２】
この場合、前記出金パターン出力部は、前記貨幣処理装置の機体内の貨幣の在高に基づいて、当該出金パターン出力部から出力される複数の前記出金パターンの優先順位を設定し、前記表示部は、前記出金パターン出力部により設定された優先順位に基づいて各々の前記出金パターンを表示するようになっていてもよい。
【００１３】
本発明の貨幣処理装置は、前記出金パターン出力部により出力されるべき前記出金パターンを設定するための設定部を更に備えていてもよい。
【００１４】
本発明の貨幣処理装置においては、前記出金パターン出力部において、入金貨幣の金額として複数の値が予め設定されており、当該出金パターン出力部は、入金貨幣の金額が予め設定された値である場合には、予め設定された前記出金パターンを出力するようになっており、前記出金パターン出力部は、入金貨幣の金額が予め設定された値ではない場合でも前記出金パターンを演算して出力することができるようになっていてもよい。
【００１５】
本発明の貨幣処理装置においては、前記出金パターン出力部は、前記貨幣処理装置の機体内にバラ状態の貨幣および棒金硬貨がそれぞれ投入された場合でも、これらのバラ状態の貨幣および棒金硬貨の合計金額を入金貨幣の金額として前記出金パターンを出力することができるようになっていてもよい。
【００１６】
本発明の貨幣処理装置においては、前記出金パターン出力部は、前記出金パターンとして、バラ状態の貨幣および棒金硬貨の各々の金種毎の数の構成に係る出金パターンを出力することができるようになっていてもよい。
【００１７】
この場合、前記出金パターン出力部により前記出金パターンが出力された後、前記操作部により確定指令が前記制御部に与えられることにより貨幣が機体外へ払い出されるようになっており、前記操作部により確定指令が前記制御部に与えられる前に前記貨幣処理装置の機体外への棒金硬貨の取り出しが許可されるようになっていてもよい。
【００１８】
あるいは、前記出金パターン出力部により前記出金パターンが出力された後、前記操作部により確定指令が前記制御部に与えられることにより貨幣が機体外へ払い出されるようになっており、前記操作部により確定指令が前記制御部に与えられた後に前記貨幣処理装置の機体外への棒金硬貨の取り出しが許可されるようになっていてもよい。
【００１９】
本発明の貨幣処理システムは、ＰＯＳ端末に接続され、取引に伴う釣銭としての貨幣を払い出すとともに、受け入れた貨幣の両替処理を行うことができる貨幣処理装置と、前記貨幣処理装置と通信可能に接続され、当該貨幣処理装置の管理を行う管理装置と、を備えた貨幣処理システムであって、前記貨幣処理装置において両替処理を行う旨の入力を受け付ける入力受付部と、前記入力受付部により前記貨幣処理装置において両替処理を行う旨の入力が受け付けられた場合に、当該貨幣処理装置の機体内に投入された入金貨幣の金額に対応する出金貨幣の金種毎の数の構成に係る出金パターンを出力する出金パターン出力部と、前記出金パターン出力部により出力された前記出金パターンを表示する表示部と、前記表示部に表示される前記出金パターンを調整するための操作部と、前記出金パターン出力部により出力された前記出金パターンまたは前記操作部により調整された前記出金パターンに基づいて貨幣を前記貨幣処理装置の機体外へ払い出すよう制御を行う制御部と、を備えたことを特徴とする。
【００２０】
このような貨幣処理システムによれば、貨幣処理装置において両替処理を行う際に、出金パターン出力部により出力された出金パターンに基づいて貨幣を貨幣処理装置の機体外へ払い出したり、出金パターン出力部により出力された出金パターンを操作部により調整した後、調整された出金パターンに基づいて貨幣を貨幣処理装置の機体外へ払い出したりすることができるため、多様な両替ニーズに応えることができ、また、複数の貨幣を一度に貨幣処理装置の機体内に投入した場合でも正両替処理を一度に行うことができる。
【００２１】
本発明の貨幣処理方法は、ＰＯＳ端末に接続され、取引に伴う釣銭としての貨幣を払い出すとともに、受け入れた貨幣の両替処理を行うことができる貨幣処理装置による貨幣処理方法であって、前記貨幣処理装置において両替処理を行う旨の入力を受け付ける工程と、前記貨幣処理装置の機体内に貨幣を受け付ける工程と、前記貨幣処理装置において両替処理を行う旨の入力が受け付けられた場合に、当該貨幣処理装置の機体内に投入された入金貨幣の金額に対応する出金貨幣の金種毎の数の構成に係る出金パターンを出力する工程と、出力された前記出金パターンを表示部に表示する工程と、前記表示部に表示される前記出金パターンを操作部により選択的に調整する工程と、出力された前記出金パターンまたは前記操作部により調整された前記出金パターンに基づいて貨幣を前記貨幣処理装置の機体外へ払い出す工程と、を備えたことを特徴とする。
【００２２】
このような貨幣処理方法によれば、貨幣処理装置において両替処理を行う際に、出力された出金パターンに基づいて貨幣を貨幣処理装置の機体外へ払い出したり、出力された出金パターンを操作部により調整した後、調整された出金パターンに基づいて貨幣を貨幣処理装置の機体外へ払い出したりすることができるため、多様な両替ニーズに応えることができ、また、複数の貨幣を一度に貨幣処理装置の機体内に投入した場合でも正両替処理を一度に行うことができる。
【発明の効果】
【００２３】
本発明の貨幣処理装置、貨幣処理システムおよび貨幣処理方法によれば、多様な両替ニーズに応えることができ、また、複数の貨幣を一度に貨幣処理装置の機体内に投入した場合でも正両替処理を一度に行うことができる。
【図面の簡単な説明】
【００２４】
【図１】本発明の実施の形態による貨幣処理システムの貨幣釣銭機およびＰＯＳレジスタの構成を示す斜視図である。
【図２】図１に示す貨幣処理システムの貨幣釣銭機およびＰＯＳレジスタの内部構成を模式的に示す構成図である。
【図３】図１に示す貨幣処理システムの制御系の構成を示す機能ブロック図である。
【図４】図１に示す貨幣処理システムの棒金収納装置において収納ドロアを筐体から引き出したときの状態を示す上面図である。
【図５】図１に示す貨幣処理システムにおいて貨幣釣銭機で行われる貨幣の処理モードを選択するときの動作を示すフローチャートである。
【図６】図１に示す貨幣処理システムの貨幣釣銭機が待機状態にあるときの操作表示部の表示画面を示す図である。
【図７】図１に示す貨幣処理システムにおいて硬貨釣銭機の操作表示部に出金パターンが表示されているときの表示内容を示す図である。
【図８】図１に示す貨幣処理システムにおいて硬貨釣銭機の記憶部やＰＯＳレジスタの記憶部に記憶される様々な両替パターン（正両替）を示す表である。
【図９】図１に示す貨幣処理システムにおいて硬貨釣銭機の記憶部やＰＯＳレジスタの記憶部に記憶される様々な両替パターン（逆両替）を示す表である。
【図１０】変形例に係る棒金収納装置において収納ドロアを筐体から引き出したときの状態を示す上面図である。
【発明を実施するための形態】
【００２５】
以下、図面を参照して本発明の実施の形態について説明する。図１乃至図９は、本実施の形態による貨幣処理システムを示す図である。このうち、図１は、本実施の形態による貨幣処理システムの貨幣釣銭機およびＰＯＳレジスタの構成を示す斜視図であり、図２は、図１に示す貨幣処理システムの貨幣釣銭機およびＰＯＳレジスタの内部構成を模式的に示す構成図であり、図３は、図１に示す貨幣処理システムの制御系の構成を示す機能ブロック図である。また、図４は、図１に示す貨幣処理システムの棒金収納装置において収納ドロアを筐体から引き出したときの状態を示す上面図である。また、図５は、図１に示す貨幣処理システムにおいて貨幣釣銭機で行われる貨幣の処理モードを選択するときの動作を示すフローチャートである。また、図６は、図１に示す貨幣処理システムの貨幣釣銭機が待機状態にあるときの操作表示部の表示画面を示す図であり、図７は、図１に示す貨幣処理システムにおいて硬貨釣銭機の操作表示部に出金パターンが表示されているときの表示内容を示す図である。また、図８および図９は、それぞれ、図１に示す貨幣処理システムにおいて硬貨釣銭機の記憶部やＰＯＳレジスタの記憶部に記憶される様々な両替パターンを示す表である。
【００２６】
まず、本実施の形態による貨幣処理システムの全体構成について図１を用いて説明する。図１に示すように、本実施の形態による貨幣処理システムは、上下に並べて配置された硬貨釣銭機１００および棒金収納装置４００と、これらの硬貨釣銭機１００や棒金収納装置４００の隣に並べて配置された紙幣釣銭機２００と、硬貨釣銭機１００や紙幣釣銭機２００の上方に設けられたＰＯＳレジスタ３００とを備えている。硬貨釣銭機１００および紙幣釣銭機２００は、それぞれ硬貨や紙幣の入出金処理を行うようになっている。また、棒金収納装置４００は、各金種の棒金硬貨（同一金種の硬貨を一定枚数（例えば、５０枚）だけ棒状にまとめてフィルムや包装紙等により包装したもの）を取り出し可能に収納するようになっている。本実施の形態では、これらの硬貨釣銭機１００、紙幣釣銭機２００および棒金収納装置４００により、貨幣が機体内に入金されると当該入金貨幣の金額から商品またはサービスの金額を差し引いた金額分の貨幣を釣銭として機体外に払い出すことができる貨幣釣銭機（貨幣処理装置）が構成されている。また、ＰＯＳレジスタ３００は、硬貨釣銭機１００、紙幣釣銭機２００および棒金収納装置４００からなる貨幣釣銭機（貨幣処理装置）の管理を行う管理装置として用いられるようになっている。
【００２７】
図２において、硬貨釣銭機１００および棒金収納装置４００についてはこれらの硬貨釣銭機１００や棒金収納装置４００を上方から見たときの内部構成が模式的に示されており、紙幣釣銭機２００およびＰＯＳレジスタ３００についてはこれらの紙幣釣銭機２００やＰＯＳレジスタ３００を側方から見たときの内部構成が模式的に示されている。図２に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００２８】
まず、硬貨釣銭機１００の構成について具体的に説明する。図１に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００２９】
硬貨受入部１１４は、硬貨投入口を介して受け入れた硬貨を１層１列状態で１枚ずつ筐体１１０内に取り込むようになっている。より詳細には、硬貨受入部１１４には繰出ベルト（図示せず）が設けられており、硬貨投入口に投入された硬貨を検知するとこの繰出ベルトが駆動されることにより当該繰出ベルトが硬貨を硬貨釣銭機１００の筐体１１０内に１枚ずつ繰り出すようになっている。また、図１に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図２に示すように、硬貨受入部１１４には、当該硬貨受入部１１４により筐体１１０内に取り込まれた硬貨を搬送する入金搬送部１０３が接続されている。
【００３０】
図２に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３１】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図２における下側）から低額順に硬貨が収納されるようになっている。
【００３２】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３３】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００３４】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００３５】
また、周回搬送部２０３ａと各接続搬送部２０３ｂとの間で紙幣の搬送経路を切り換える経路切換部（図示せず）が、周回搬送部２０３ａに沿って配置されている。
【００３６】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００３７】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。具体的には、３つの紙幣収納部２０６として、１万円札を収納する紙幣収納部２０６、五千円札および二千円札を混合状態で収納する紙幣収納部２０６、および千円札を収納する紙幣収納部２０６がそれぞれ設けられている。また、各紙幣払出部２１６は、各紙幣収納部２０６から周回搬送部２０３ａに繰り出された紙幣を紙幣取出口２１６ａより機外へ放出するようになっている。
【００３８】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から筐体２１０内に取り込まれた紙幣のうち、汚損等により紙幣識別部２０１で識別することができない紙幣は入金リジェクト紙幣として紙幣払出部２１６に返却されるようになっている。
【００３９】
次に、棒金収納装置４００の構成について具体的に説明する。図１、図２および図４に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている（図４において、収納ドロア４１２に収納された各金種の棒金硬貨を斜線で示している）。ここで、収納ドロア４１２には、所定金種の棒金硬貨を一本ずつ受け入れる収納部が形成されており、収納される棒金硬貨の金種毎の収納本数および位置が予め設定されている。具体的には、図４において参照符号Ａで示す領域には８本の１００円の棒金硬貨が収納可能となっており、参照符号Ｂで示す領域には１本の５００円の棒金硬貨が収納可能となっており、参照符号Ｃで示す領域には１本の５０円の棒金硬貨が収納可能となっている。また、図４において参照符号Ｄで示す領域には６本の１０円の棒金硬貨が収納可能となっており、参照符号Ｅで示す領域には４本の１円の棒金硬貨が収納可能となっており、参照符号Ｆで示す領域には１本の５円の棒金硬貨が収納可能となっている。
【００４０】
また、図２に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。ロック部４１６によるロックが解除されると、図示されないバネ構造の付勢により収納ドロア４１２が筐体４１０の前面から手前側に若干量突出した状態となる。
【００４１】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図２等に示すように、棒金検知部４１４は４対の光センサ４１４ａ、４１４ｂおよび筐体４１０からの収納ドロア４１２の引き出し量を検知するロータリエンコーダ４１４ｃを有している。ここで、２対の光センサ４１４ａの各々は発光素子および受光素子を有しており、発光素子から発せられた光は、棒金収納装置４００の高さ方向（すなわち、図２や図４の紙面に直交する方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の有無や直径の大きさが検知されるようになる。また、２対の光センサ４１４ｂの各々は発光素子および受光素子を有しており、発光素子から発せられた光は、棒金収納装置４００の幅方向（すなわち、図２における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ｂにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の孔の有無が検知されるようになる。前述したように、収納ドロア４１２において、収納される棒金硬貨の金種毎の収納本数および位置が予め設定されているため、光センサ４１４ａ、４１４ｂにより検知された棒金硬貨の有無や直径、孔の有無、ならびにロータリエンコーダ４１４ｃにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【００４２】
また、図４に示すように、収納ドロア４１２の各収納部に対応して（隣接して）ＬＥＤ等の表示部４２０が複数設けられている。後述するように、本実施の形態による貨幣釣銭機において棒金硬貨を取り出す際に、棒金収納装置４００から取り出されるべき棒金硬貨が収納された収納部に対応する表示部４２０が点滅するようになっている。
【００４３】
次に、ＰＯＳレジスタ３００の構成について具体的に説明する。ＰＯＳレジスタ３００のＰＯＳ制御部３３０は、図２に示すように、硬貨釣銭機１００の上位制御部１２０に通信可能に接続されているとともに、店舗サーバ等の上位端末（図示せず）にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４４】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には客（購入者）が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、操作者のＩＤカードを読み取ることにより操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【００４５】
図３に、上述のような構成からなる貨幣処理システムの機能ブロック図を示す。図３に示すように、硬貨釣銭機１００の上位制御部１２０には、硬貨釣銭機１００のインターフェース１３２、操作表示部１１２、音声部１１３および記憶部１３４が通信可能に接続されている。この上位制御部１２０は、インターフェース１３２により、紙幣釣銭機２００の紙幣釣銭機制御部２３０やＰＯＳレジスタ３００のＰＯＳ制御部３３０、棒金収納装置４００の棒金収納装置制御部４３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高が表示されるようになっている。また、音声部１１３は、音声により操作者に対して様々な通知を行うことができるようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。また、硬貨釣銭機１００の上位制御部１２０には、硬貨釣銭機１００や紙幣釣銭機２００、棒金収納装置４００の機体内に投入された投入貨幣（入金貨幣）の金額に対応する出金貨幣の金種毎の数の構成に係る出金パターンを出力する出金パターン出力部１３６が通信可能に接続されている。このような出金パターン出力部１３６の機能の詳細については後述する。また、硬貨釣銭機１００の上位制御部１２０には、硬貨釣銭機１００、紙幣釣銭機２００および棒金収納装置４００により構成される貨幣釣銭機において行われる貨幣の処理モードを設定するための処理モード設定部１３８が通信可能に接続されている。具体的には、処理モード設定部１３８により、貨幣釣銭機において通常の釣銭処理モードの他に両替処理モードや精算処理モードを行うことを設定することができるようになっている。処理モード設定部１３８による貨幣の処理モードの設定は、操作者が硬貨釣銭機１００の操作表示部１１２やＰＯＳレジスタ３００の操作部３０４を操作することにより行われる。このような処理モード設定部１３８の機能の詳細については後述する。
【００４６】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ通信可能に接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００４７】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ通信可能に接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００４８】
棒金収納装置４００の棒金収納装置制御部４３０には、インターフェース４３２、棒金検知部４１４、ロック部４１６、記憶部４３４、表示部４２０等がそれぞれ通信可能に接続されており、棒金検知部４１４から収納ドロア４１２内の棒金硬貨の検知結果が棒金収納装置制御部４３０に送られるとともに、棒金収納装置制御部４３０からロック部４１６に対して収納ドロア４１２を筐体４１０内にロックするか否かの指令が送られるようになっている。また、棒金収納装置制御部４３０は表示部４２０に指令を送ることにより当該表示部４２０を点灯させることができるようになっている。また、棒金収納装置４００の棒金収納装置制御部４３０は、インターフェース４３２により、硬貨釣銭機１００の上位制御部１２０に対して信号の送受信を行うようになっている。また、記憶部４３４には、棒金収納装置４００の内部に収納された棒金硬貨の在高等の様々な情報が記憶されるようになっている。
【００４９】
また、ＰＯＳレジスタ３００のＰＯＳ制御部３３０には、表示部３０２、操作部３０４、記憶部３３４、インターフェース３３２、カードリーダ３３６、印字部３３８等がそれぞれ通信可能に接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ等の上位端末（図示せず）に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００５０】
本実施の形態による貨幣釣銭機やこのような貨幣釣銭機を備えた貨幣処理システムでは、購入客から受け取った貨幣を受け入れて釣銭としての貨幣を払い出す釣銭処理モードや、受け入れた貨幣を所望の金種の貨幣に交換する両替処理モードや、営業終了時に機体内の貨幣の在高を確認して余剰金を回収させる精算処理モードが設定される。本実施の形態による貨幣釣銭機において通常時は釣銭処理モードが行われるようになっており、処理モード設定部１３８により両替処理モードあるいは精算処理モードへの切り替えが指示されると、当該モードに切り替えられるようになる。より詳細には、図５のフローチャートに示すように、処理モード設定部１３８により両替処理モードが設定された場合には（ＳＴＥＰ１の「ＹＥＳ」）、貨幣釣銭機において両替処理が行われる（ＳＴＥＰ２）。一方、処理モード設定部１３８により両替処理モードが設定されなかった場合には（ＳＴＥＰ１の「ＮＯ」）、貨幣釣銭機において取引に伴う釣銭としての貨幣を払い出すような釣銭処理が行われる（ＳＴＥＰ３）。また、貨幣釣銭機において両替処理や釣銭処理が行われた後、処理モード設定部１３８により精算処理モードが設定されると（ＳＴＥＰ４の「ＹＥＳ」）、貨幣釣銭機において機体内の貨幣の在高を確認して余剰金を回収させる精算処理が行われる（ＳＴＥＰ５）。
【００５１】
このように、貨幣の両替処理を行う際には、操作者は硬貨釣銭機１００の操作表示部１１２やＰＯＳレジスタ３００の操作部３０４を操作することにより、処理モード設定部１３８において貨幣の処理モードを両替処理モードに設定する。本実施の形態では、硬貨釣銭機１００の操作表示部１１２やＰＯＳレジスタ３００の操作部３０４により、両替処理を行う旨の入力を受け付ける入力受付部が構成されている。次に、硬貨釣銭機１００、紙幣釣銭機２００、棒金収納装置４００の機体内に貨幣を投入すると、これらの硬貨釣銭機１００、紙幣釣銭機２００、棒金収納装置４００の機体内に投入された投入貨幣（入金貨幣）の金額に対応する払出貨幣（出金貨幣）の金種毎の数の構成に係る出金パターンが出金パターン出力部１３６により出力されるようになっている。ここで、出金パターン出力部１３６により出力された出金パターンは硬貨釣銭機１００の操作表示部１１２やＰＯＳレジスタ３００の表示部３０２に表示されるようになっている。また、本実施の形態では、硬貨釣銭機１００の操作表示部１１２やＰＯＳレジスタ３００の表示部３０２に表示される出金パターンを、硬貨釣銭機１００の操作表示部１１２やＰＯＳレジスタ３００の操作部３０４により調整することができるようになっている。そして、出金パターン出力部１３６から出力された出金パターンや、出力された後に調整された出金パターンに基づいて、出金貨幣が硬貨釣銭機１００、紙幣釣銭機２００、棒金収納装置４００の機体外に払い出されるようになっている。このような本実施の形態による貨幣の両替処理の詳細について以下に説明する。なお、以下に示すような貨幣釣銭機の動作は、硬貨釣銭機１００の上位制御部１２０が硬貨釣銭機１００、紙幣釣銭機２００、棒金収納装置４００の各構成部材を制御することにより行われるようになっている。
【００５２】
硬貨釣銭機１００の記憶部１３４やＰＯＳレジスタ３００の記憶部３３４には、硬貨釣銭機１００や紙幣釣銭機２００の機体内に投入された１つの貨幣（入金貨幣）に対して予め設定された１または複数の低額金種の貨幣を出金貨幣として硬貨釣銭機１００や紙幣釣銭機２００の機体外に払い出すような通常の正両替処理の両替パターン、および硬貨釣銭機１００や紙幣釣銭機２００の機体内に投入された同一金種の複数の貨幣（入金貨幣）に対して予め設定された単一の高額金種の１つの貨幣を出金貨幣として硬貨釣銭機１００や紙幣釣銭機２００の機体外に払い出すような通常の逆両替処理の両替パターンの他に、様々な両替パターンが登録されている。このような硬貨釣銭機１００の記憶部１３４やＰＯＳレジスタ３００の記憶部３３４に記憶される様々な両替パターンについて図８および図９に示す表を用いて説明する。
【００５３】
図８は、硬貨釣銭機１００の記憶部１３４やＰＯＳレジスタ３００の記憶部３３４に記憶される、正両替処理の様々な両替パターンを示す表である。図８に示すように、本実施の形態による貨幣釣銭機では、両替パターンとして、２枚の１万円紙幣が入金貨幣として紙幣釣銭機２００の機体内に投入されたときに４枚の５千円紙幣を出金貨幣として紙幣釣銭機２００の機体外に払い出すような両替パターンＡ、２枚の１万円紙幣が入金貨幣として紙幣釣銭機２００の機体内に投入されたときに２０枚の千円紙幣を出金貨幣として紙幣釣銭機２００の機体外に払い出すような両替パターンＢ、２枚の５千円紙幣が入金貨幣として紙幣釣銭機２００の機体内に投入されたときに１０枚の千円紙幣を出金貨幣として紙幣釣銭機２００の機体外に払い出すような両替パターンＣ、１枚の１万円紙幣が入金貨幣として紙幣釣銭機２００の機体内に投入されたときに１枚の５千円紙幣および５枚の千円紙幣を出金貨幣として紙幣釣銭機２００の機体外に払い出すような両替パターンＤ、３枚の１万円札が入金貨幣として紙幣釣銭機２００の機体内に投入されたときに５枚の千円紙幣を出金貨幣として紙幣釣銭機２００の機体外に払い出すとともに１本の５００円の棒金硬貨（５００円の棒金硬貨は５０枚の５００円硬貨から構成されている）を棒金収納装置４００の機体外に払い出すような両替パターンＥ、ならびに６枚の５千円札が入金貨幣として紙幣釣銭機２００の機体内に投入されたときに５枚の千円紙幣を出金貨幣として紙幣釣銭機２００の機体外に払い出すとともに１本の５００円の棒金硬貨を棒金収納装置４００の機体外に払い出すような両替パターンＦ等が硬貨釣銭機１００の記憶部１３４やＰＯＳレジスタ３００の記憶部３３４に記憶されている。
【００５４】
また、本実施の形態による貨幣釣銭機では、入金貨幣としてバラ状態の低額紙幣や硬貨、棒金硬貨を硬貨釣銭機１００、紙幣釣銭機２００、棒金収納装置４００の機体内に投入したときに（混合投入でも可）、投入貨幣よりも高額の金種である硬貨または紙幣が出金貨幣として硬貨釣銭機１００や紙幣釣銭機２００の機体外に払い出されるような逆両替処理を行うことができるようになっている。図９は、硬貨釣銭機１００の記憶部１３４やＰＯＳレジスタ３００の記憶部３３４に記憶される、逆両替処理の様々な両替パターンを示す表である。図９に示すように、本実施の形態による貨幣釣銭機では、両替パターンとして、５枚の千円札が紙幣釣銭機２００の機体内に投入されるとともに１本の５００円の棒金硬貨が棒金収納装置４００の機体内に投入されたときに３枚の１万円札を出金貨幣として紙幣釣銭機２００の機体外に払い出すような両替パターンａや５枚の千円札が紙幣釣銭機２００の機体内に投入されるとともに１本の５００円の棒金硬貨が棒金収納装置４００の機体内に投入されたときに６枚の５千円札を出金貨幣として紙幣釣銭機２００の機体外に払い出すような両替パターンｂ等が硬貨釣銭機１００の記憶部１３４やＰＯＳレジスタ３００の記憶部３３４に記憶されている。
【００５５】
なお、図８や図９の表に示す両替パターンはあくまで本実施の形態による両替処理を説明するための一例を述べたに過ぎず、実際には図８や図９の表に示す両替パターン以外にも様々な両替パターンが硬貨釣銭機１００の記憶部１３４やＰＯＳレジスタ３００の記憶部３３４に記憶されるようになっている。また、両替パターンを算出するための計算式が硬貨釣銭機１００の記憶部１３４やＰＯＳレジスタ３００の記憶部３３４に記憶されていてもよい。
【００５６】
次に、本実施の形態による貨幣釣銭機において実際に両替処理を行う際の動作について図６および図７に示す操作表示部１１２の表示画面を用いて説明する。
【００５７】
図６は、本実施の形態による貨幣釣銭機が待機状態にあるときの操作表示部１１２の表示画面を示す図である（ここでは、金種毎の在高情報が表示されている）。図６に示すような操作表示部１１２の表示画面において、操作者によって「両替ボタン」が押下されると、貨幣釣銭機は両替処理モードとなり、操作表示部１１２には両替画面が表示されるようになる。このような両替処理モードにおいて、操作者が入金貨幣として硬貨釣銭機１００や紙幣釣銭機２００の機体内にバラ状態の硬貨や紙幣を投入すると、投入された硬貨や紙幣は硬貨識別部１０１や紙幣識別部２０１により識別および計数が行われ、識別および計数が行われた硬貨や紙幣は硬貨収納部１０６や紙幣収納部２０６に収納されるようになる。また、硬貨識別部１０１や紙幣識別部２０１による硬貨や紙幣の計数結果（具体的には、入金貨幣の合計金額）は操作表示部１１２に表示されるようになる。
【００５８】
また、本実施の形態では、入金貨幣として棒金硬貨を棒金収納装置４００の機体内に投入することができるようになっている。入金貨幣として棒金硬貨を棒金収納装置４００の機体内に投入するにあたり、操作表示部１１２に表示される「棒金硬貨」ボタン（図示せず）を操作者が押下すると、ロック部４１６による収納ドロア４１２のロックが解除され、収納ドロア４１２が筐体４１０の前面から手前側に若干量突出した状態となる。そして、このような状態から操作者が収納ドロア４１２を筐体４１０の前面から手前側に引き出すことにより、当該操作者は収納ドロア４１２の収納部に棒金硬貨を収納することができるようになる。収納ドロア４１２の収納部に棒金硬貨を収納した後、収納ドロア４１２を筐体４１０の内部に戻すと、棒金検知部４１４による検知結果に基づいて当該収納ドロア４１２に収納された入金貨幣としての棒金硬貨の金種および本数に係る情報が取得されるようになる。
【００５９】
本実施の形態では、硬貨釣銭機１００、紙幣釣銭機２００、棒金収納装置４００の機体内に入金貨幣としての貨幣が投入されて、その金種や枚数が特定されると、硬貨釣銭機１００の記憶部１３４やＰＯＳレジスタ３００の記憶部３３４に記憶されている両替パターンに基づいて、硬貨釣銭機１００、紙幣釣銭機２００、棒金収納装置４００の機体内に投入された投入貨幣（入金貨幣）の金額に対応する払出貨幣（出金貨幣）の金種毎の数の構成に係る出金パターンが出金パターン出力部１３６により出力される。ここで、出金パターン出力部１３６により出力された出金パターンは硬貨釣銭機１００の操作表示部１１２やＰＯＳレジスタ３００の表示部３０２に表示される。具体的には、入金貨幣として紙幣釣銭機２００の機体内に１枚の１万円紙幣が投入されると、硬貨釣銭機１００の記憶部１３４やＰＯＳレジスタ３００の記憶部３３４に記憶されている両替パターンＤ（図８参照）に基づいて、図７に示すように１枚の５千円紙幣および５枚の千円紙幣からなる出金パターンが操作表示部１１２に表示される。このような状態で操作者により操作表示部１１２における「確定ボタン」が押下されると、出金貨幣として１枚の５千円紙幣および５枚の千円紙幣がそれぞれ紙幣釣銭機２００の機体外に投出される。
【００６０】
また、本実施の形態では操作表示部１１２において出金パターンの構成（具体的には、金種毎の出金貨幣の数）を変更することができるようになっている。具体的には、図７に示す操作表示部１１２の表示画面において「△ボタン」「▽ボタン」を押下することにより出金パターンの構成を変更したい金種を選択し、「減ボタン」「増ボタン」を押下することにより選択された金種の出金枚数を変更することができるようになっている。また、本実施の形態では、操作表示部１１２に表示される出金パターンにおける出金貨幣のある金種の数が変更されると、当該出金パターンにおける出金貨幣の他の金種の数が自動的に変更されるようになっている。例えば、図７に示す出金パターンにおいて５千円紙幣を指定して、その出金枚数を１枚から０枚に変更すると、千円紙幣の出金枚数が自動的に５枚から１０枚に変更されるようになっている。なお、出金パターン出力部１３６により出力された出金パターンが硬貨釣銭機１００の操作表示部１１２ではなくＰＯＳレジスタ３００の表示部３０２に表示される場合には、当該表示部３０２に表示される出金パターンの構成（具体的には、金種毎の出金貨幣の数）をＰＯＳレジスタ３００の操作部３０４により変更することができるようになる。
【００６１】
また、本実施の形態では、入金貨幣としてバラ状態の硬貨や紙幣および棒金硬貨をそれぞれ硬貨釣銭機１００、紙幣釣銭機２００、棒金収納装置４００の機体内に投入することができるようになっている。具体的には、入金貨幣として紙幣釣銭機２００の機体内に５枚の千円紙幣が投入されるとともに棒金収納装置４００の機体内に１本の５００円の棒金硬貨が投入されると、硬貨釣銭機１００の記憶部１３４やＰＯＳレジスタ３００の記憶部３３４に記憶されている両替パターンａ（図９参照）に基づいて、３枚の１万円紙幣からなる出金パターンが操作表示部１１２に表示される。このような状態で操作者により操作表示部１１２における「確定ボタン」が押下されると、出金貨幣として３枚の１万円紙幣が紙幣釣銭機２００の機体外に投出される。
【００６２】
また、本実施の形態では、正両替処理を行うにあたり、複数の貨幣を入金貨幣として硬貨釣銭機１００、紙幣釣銭機２００、棒金収納装置４００の機体内に投入することができるようになっている。具体的には、入金貨幣として１つの硬貨や紙幣、棒金硬貨を硬貨釣銭機１００や紙幣釣銭機２００、棒金収納装置４００の機体内に投入しても操作表示部１１２における「確定ボタン」が押下されるまでは出金貨幣が硬貨釣銭機１００や紙幣釣銭機２００、棒金収納装置４００の機体外に投出されないため、正両替処理を行う際に複数の貨幣を入金貨幣として硬貨釣銭機１００、紙幣釣銭機２００、棒金収納装置４００の機体内に投入することが可能である。具体的には、入金貨幣として例えば紙幣釣銭機２００の機体内に２枚の１万円紙幣が投入されると、硬貨釣銭機１００の記憶部１３４やＰＯＳレジスタ３００の記憶部３３４に記憶されている両替パターンＡ（図８参照）に基づいて、４枚の５千円紙幣からなる出金パターンが操作表示部１１２に表示される。このような状態で操作者により操作表示部１１２における「確定ボタン」が押下されると、出金貨幣として４枚の５千円紙幣が紙幣釣銭機２００の機体外に投出される。
【００６３】
また、本実施の形態では、出金貨幣として棒金硬貨を棒金収納装置４００の機体外に投出したり、出金貨幣としてバラ状態の硬貨や紙幣および棒金硬貨をそれぞれ硬貨釣銭機１００、紙幣釣銭機２００、棒金収納装置４００の機体外に投出したりすることができるようになっている（図８の表における両替パターンＥ、Ｆ参照）。ここで、出金貨幣として棒金硬貨が棒金収納装置４００の機体外に投出される場合には、ロック部４１６による収納ドロア４１２のロックが解除され、収納ドロア４１２が筐体４１０の前面から手前側に若干量突出した状態となる。そして、このような状態から操作者が収納ドロア４１２を筐体４１０の前面から手前側に引き出すことにより、当該操作者は収納ドロア４１２の収納部から棒金硬貨を取り出すことができるようになる。また、本実施の形態では、出金貨幣として棒金収納装置４００から取り出されるべき棒金硬貨が収納された収納部に対応する表示部４２０が点滅するようになっている。このことにより、操作者は収納ドロア４１２におけるどの収納部から棒金硬貨を取り出すかを一目で分かるようになり、収納ドロア４１２から別の金種の棒金硬貨が誤って操作者により取り出されてしまうことを防止することができるようになる。収納ドロア４１２の収納部から出金貨幣としての棒金硬貨を取り出した後、収納ドロア４１２を筐体４１０の内部に戻すと、棒金検知部４１４による検知結果に基づいて当該収納ドロア４１２から出金貨幣として取り出された棒金硬貨の金種および本数に係る情報が取得されるようになる。ここで、収納ドロア４１２から出金貨幣として所定の金種毎の本数の棒金硬貨が正しく取り出された場合にはロック部４１６により収納ドロア４１２がロックされるようになる。一方、収納ドロア４１２から出金貨幣として所定の金種毎の本数の棒金硬貨が正しく取り出されなかった場合には（すなわち、収納ドロア４１２からの棒金硬貨の取り忘れや取り間違いがあった場合には）、収納ドロア４１２を筐体４１０の内部に戻してもロック部４１６により当該収納ドロア４１２はロックされず、硬貨釣銭機１００の操作表示部１１２やＰＯＳレジスタ３００の表示部３０２に警告表示がなされたり硬貨釣銭機１００の音声部１１３から警告アナウンスが発せられたりするようになる。
【００６４】
なお、本実施の形態による貨幣釣銭機やこのような貨幣釣銭機を備えた貨幣処理システムでは、出金パターン出力部１３６から出金パターンが出力された後、硬貨釣銭機１００の操作表示部１１２やＰＯＳレジスタ３００の操作部３０４により確定指令が硬貨釣銭機１００の上位制御部１２０等に与えられる前に棒金収納装置４００の機体外への棒金硬貨の取り出しが許可されるようになっている。具体的には、図７に示すように出金パターンが操作表示部１１２に表示されているときに、この出金パターンの構成に棒金硬貨が含まれているときには、「確定ボタン」を押下しなくてもロック部４１６による収納ドロア４１２のロックが解除され、当該収納ドロア４１２からの棒金硬貨の取り出しを行うことができるようになっている。
【００６５】
また、本実施の形態では、上述したように、出金パターン出力部１３６において、入金貨幣の金額として複数の値が予め設定されており（具体的には、硬貨釣銭機１００の記憶部１３４やＰＯＳレジスタ３００の記憶部３３４に記憶される出金パターンにおいて入金貨幣の金額として複数の値が記憶されており）、当該出金パターン出力部１３６は、入金貨幣の金額が予め設定された値である場合には、予め設定された出金パターンを出力するようになっているが、この出金パターン出力部１３６は、入金貨幣の金額が予め設定された値ではない場合でも出金パターンを演算して出力することができるようになっている。具体的には、硬貨釣銭機１００、紙幣釣銭機２００、棒金収納装置４００の機体内に投入された入金貨幣の金額が図８や図９の表に示される合計金額である１万円、２万円、３万円ではない場合でも、出金パターン出力部１３６は出金パターンを演算して出力することができるようになっている。
【００６６】
また、本実施の形態では、硬貨釣銭機１００の操作表示部１１２やＰＯＳレジスタ３００の操作部３０４は、出金パターン出力部１３６により出力されるべき出金パターンを設定するための設定部として用いられるようになっていてもよい。具体的には、貨幣処理システムの導入時やメンテナンス時において、係員は硬貨釣銭機１００の操作表示部１１２やＰＯＳレジスタ３００の操作部３０４により両替パターン設定モードを選択し、この両替パターン設定モードにおいて両替パターン（具体的には、投入貨幣や払出貨幣の金種毎の数）を入力する。係員により入力された両替パターンは硬貨釣銭機１００の記憶部１３４やＰＯＳレジスタ３００の記憶部３３４に記憶されるようになる。
【００６７】
以上のような構成からなる本実施の形態の貨幣釣銭機およびこのような貨幣釣銭機を備えた貨幣処理システムによれば、ＰＯＳ端末に接続され、取引に伴う釣銭としての貨幣を払い出す貨幣釣銭機において、受け入れた貨幣の両替処理を行うことができるようになっている。しかも、本実施の形態の貨幣釣銭機により行われる両替処理では、両替処理を行う旨の入力が硬貨釣銭機１００の操作表示部１１２やＰＯＳレジスタ３００の操作部３０４により受け付けられ、処理モード設定部１３８により両替処理モードが設定された場合に、硬貨釣銭機１００、紙幣釣銭機２００、棒金収納装置４００の機体内に投入された入金貨幣の金額に対応する出金貨幣の金種毎の数の構成に係る出金パターンが出金パターン出力部１３６により出力され、出金パターン出力部１３６により出力された出金パターンは硬貨釣銭機１００の操作表示部１１２やＰＯＳレジスタ３００の表示部３０２に表示されるようになっている。また、硬貨釣銭機１００の操作表示部１１２やＰＯＳレジスタ３００の表示部３０２に表示される出金パターンは硬貨釣銭機１００の操作表示部１１２やＰＯＳレジスタ３００の操作部３０４により調整することができるようになっている。そして、出金パターン出力部１３６により出力された出金パターンや硬貨釣銭機１００の操作表示部１１２やＰＯＳレジスタ３００の操作部３０４により調整された出金パターンに基づいて、出金貨幣としての貨幣が硬貨釣銭機１００、紙幣釣銭機２００、棒金収納装置４００の機体外に払い出されるようになっている。このような貨幣処理システムによれば、両替処理を行う際に、出金パターン出力部１３６により出力された出金パターンに基づいて貨幣を機体外へ払い出したり、出金パターン出力部１３６により出力された出金パターンを調整した後、調整された出金パターンに基づいて貨幣を機体外へ払い出したりすることができるため、多様な両替ニーズに応えることができ、また、複数の貨幣を一度に硬貨釣銭機１００、紙幣釣銭機２００、棒金収納装置４００の機体内に投入した場合でも正両替処理を一度に行うことができる。
【００６８】
また、本実施の形態の貨幣釣銭機およびこのような貨幣釣銭機を備えた貨幣処理システムにおいては、上述したように、硬貨釣銭機１００の操作表示部１１２やＰＯＳレジスタ３００の操作部３０４により、出金パターンにおける出金貨幣の金種毎の数を変更することができるようになっている。また、硬貨釣銭機１００の操作表示部１１２やＰＯＳレジスタ３００の操作部３０４により出金パターンにおける出金貨幣のある金種の数が変更されると、当該出金パターンにおける出金貨幣の他の金種の数が自動的に変更されるようになっている。
【００６９】
また、本実施の形態の貨幣釣銭機およびこのような貨幣釣銭機を備えた貨幣処理システムにおいては、上述したように、出金パターン出力部１３６において、入金貨幣の金額として複数の値が予め設定されており、当該出金パターン出力部１３６は、入金貨幣の金額が予め設定された値である場合には、予め設定された出金パターンを出力するようになっているが、この出金パターン出力部１３６は、入金貨幣の金額が予め設定された値ではない場合でも出金パターンを演算して出力することができるようになっている。
【００７０】
また、本実施の形態の貨幣釣銭機およびこのような貨幣釣銭機を備えた貨幣処理システムにおいては、上述したように、出金パターン出力部１３６は、硬貨釣銭機１００、紙幣釣銭機２００の機体内にバラ状態の硬貨や紙幣が投入されるとともに棒金収納装置４００の機体内に棒金硬貨が投入された場合でも、これらのバラ状態の硬貨や紙幣および棒金硬貨の合計金額を入金貨幣の金額として出金パターンを出力することができるようになっている。また、出金パターン出力部１３６は、出金パターンとして、バラ状態の硬貨や紙幣および棒金硬貨の各々の金種毎の数の構成に係る出金パターンを出力することができるようになっている。この場合、出金パターン出力部１３６から出金パターンが出力された後、硬貨釣銭機１００の操作表示部１１２やＰＯＳレジスタ３００の操作部３０４により確定指令が硬貨釣銭機１００の上位制御部１２０等に与えられる前に棒金収納装置４００の機体外への棒金硬貨の取り出しが許可されるようになっている。
【００７１】
なお、本実施の形態による貨幣処理システムは、上述したような態様に限定されることはなく、様々な変更を加えることができる。
【００７２】
例えば、本実施の形態による貨幣処理システムにおいて貨幣の両替処理を行う際において、出金貨幣として棒金収納装置４００の機体外に棒金硬貨を払い出す場合に、硬貨釣銭機１００の操作表示部１１２やＰＯＳレジスタ３００の操作部３０４により確定指令が硬貨釣銭機１００の上位制御部１２０等に与えられた後に棒金収納装置４００の機体外への棒金硬貨の取り出しが許可されるようになっていてもよい。具体的には、出金パターン出力部１３６から出金パターンが出力され、操作表示部１１２にこの出金パターンが表示された後、出金パターンの構成に棒金硬貨が含まれる場合には、操作表示部１１２における「確定ボタン」を押下することによりロック部４１６による収納ドロア４１２のロックが解除されるようになっていてもよい。ロック部４１６による収納ドロア４１２のロックが解除されると、収納ドロア４１２が筐体４１０の前面から手前側に若干量突出した状態となり、操作者はこの収納ドロア４１２を筐体４１０の前面から手前側に引き出して当該収納ドロア４１２から棒金硬貨を取り出すことができるようになる。
【００７３】
また、出金パターン出力部１３６は、一つの入金貨幣の金額に対して複数の出金パターンを出力することができるようになっており、硬貨釣銭機１００の操作表示部１１２やＰＯＳレジスタ３００の操作部３０４により、出金パターン出力部１３６により出力された複数の出金パターンからある一つの出金パターンを選択することができるようになっていてもよい。このような態様について以下に説明する。
【００７４】
図８の表に示すように、貨幣処理システムにおいて両替処理が行われる際に入金貨幣として２枚の１万円紙幣が紙幣釣銭機２００の機体内に投入された場合には入金金額は２万円となるが、この２万円の入金金額に対応する出金パターンとして、「４枚の５千円紙幣」という出金パターン（図８の表における両替パターンＡ参照）および「２０枚の千円紙幣」という出金パターン（図８の表における両替パターンＢ参照）からなる２つの出金パターンが硬貨釣銭機１００の記憶部１３４やＰＯＳレジスタ３００の記憶部３３４に記憶されている。この場合には操作表示部１１２には出金パターンとしてまず図８の表における両替パターンＡに係る「４枚の５千円紙幣」が表示される。また、操作者が操作表示部１１２における「△ボタン」「▽ボタン」を押下すると、操作表示部１１２に表示される出金パターンが図８の表における両替パターンＢに係る「２０枚の千円紙幣」に切り替えられる。そして、操作者は希望する出金パターンが操作表示部１１２に表示されているときに当該操作表示部１１２における「確定ボタン」を押下すると、操作表示部１１２に表示されている出金パターンに基づいて硬貨釣銭機１００、紙幣釣銭機２００、棒金収納装置４００の機体外に出金貨幣としての貨幣が払い出されるようになる。
【００７５】
貨幣処理システムにおいてこのような運用が行われる場合には、出金パターン出力部１３６は、硬貨釣銭機１００、紙幣釣銭機２００、棒金収納装置４００の機体内の貨幣の在高に基づいて、当該出金パターン出力部１３６から出力される複数の出金パターンの優先順位を設定し、操作表示部１１２は、出金パターン出力部１３６により設定された優先順位に基づいて各々の出金パターンを表示するようになっていてもよい。具体的には、紙幣釣銭機２００に収納されている複数の金種の紙幣のうちある金種の紙幣の枚数が比較的多い場合には、この金種の紙幣を含む出金パターンが操作表示部１１２に先に表示されるようになる。例えば、２枚の１万円紙幣が投入された際に、機内に５千円紙幣が所定枚数以上ある場合は「４枚の５千円紙幣」を先に表示し、５千円紙幣が所定枚数未満である場合は「２０枚の千円紙幣」を先に表示する。また、紙幣釣銭機２００に収納されている複数の金種の紙幣のうちある金種の紙幣の枚数が比較的少ない場合や０に近い場合には、この金種の紙幣を含む出金パターンが操作表示部１１２に後で表示されるか、この金種の紙幣を含む出金パターンが操作表示部１１２に表示されないようになる。後者の場合には、この金種の紙幣を含む出金パターンを選択することができなくなる。
【００７６】
また、貨幣処理システムにおいてこのような運用が行われる場合に、出金パターン出力部１３６により出力された複数の出金パターンから硬貨釣銭機１００の操作表示部１１２やＰＯＳレジスタ３００の操作部３０４によりある一つの出金パターンが選択された後、選択された出金パターンにおける出金貨幣の金種毎の数を硬貨釣銭機１００の操作表示部１１２やＰＯＳレジスタ３００の操作部３０４により変更することができるようになっていてもよい。また、この場合に、選択された出金パターンにおける出金貨幣のある金種の数が硬貨釣銭機１００の操作表示部１１２やＰＯＳレジスタ３００の操作部３０４により変更されると、当該出金パターンにおける出金貨幣の他の金種の数が自動的に変更されるようになっていてもよい。
【００７７】
また、本実施の形態による貨幣処理システムでは、硬貨釣銭機１００、紙幣釣銭機２００および棒金収納装置４００からなる貨幣釣銭機において両替処理を行う貨幣の金種や数、あるいは両替パターンを、予め硬貨釣銭機１００の操作表示部１１２やＰＯＳレジスタ３００の操作部３０４により指定し、その後、硬貨釣銭機１００、紙幣釣銭機２００、棒金収納装置４００の機体内に実際に投入された入金貨幣やこれらの硬貨釣銭機１００、紙幣釣銭機２００、棒金収納装置４００の機体外に実際に払い出された出金貨幣の金種や数、両替パターンが予め指定された内容と一致するか否かを硬貨釣銭機１００の上位制御部１２０等が判断するようになっていてもよい。また、両者の内容が一致しないと硬貨釣銭機１００の上位制御部１２０等において判断された場合には、硬貨釣銭機１００の操作表示部１１２やＰＯＳレジスタ３００の表示部３０２において警告表示がなされたり硬貨釣銭機１００の音声部１１３から警告アナウンスが発せられたりするようになっていてもよい。この場合には、硬貨釣銭機１００、紙幣釣銭機２００、棒金収納装置４００の機体内に実際に投入された入金貨幣やこれらの硬貨釣銭機１００、紙幣釣銭機２００、棒金収納装置４００の機体外に実際に払い出された出金貨幣の金種や数、両替パターンが予め指定されたものであるか否かを判別することができるようになる。具体的には、入金貨幣として１枚の１万円札を紙幣釣銭機２００の機体内に投入し、出金貨幣として２本の１００円の棒金硬貨を硬貨釣銭機１００の操作表示部１１２やＰＯＳレジスタ３００の操作部３０４により指定すると、棒金収納装置４００においてロック部４１６による収納ドロア４１２のロックが解除されて当該収納ドロア４１２から棒金硬貨を取り出し可能となるが、この収納ドロア４１２から取り出された出金貨幣が予め指定された２本の１００円の棒金硬貨であるか否かの判断が硬貨釣銭機１００の上位制御部１２０等において行われるようになる。
【００７８】
また、本実施の形態による貨幣処理システムでは、硬貨釣銭機１００、紙幣釣銭機２００、棒金収納装置４００の機体内に投入された入金貨幣の金額に対応する出金貨幣の金種毎の枚数の構成に係る出金パターンを出力するための出金パターン出力部１３６が硬貨釣銭機１００に設けられているような態様について述べたが、このような態様に限定されることはない。硬貨釣銭機１００、紙幣釣銭機２００、棒金収納装置４００の機体内に投入された入金貨幣の金額に対応する出金貨幣の金種毎の枚数の構成に係る出金パターンを出力するための出金パターン出力部がＰＯＳレジスタ３００に設けられるようになっていてもよい。この場合には、出金パターン出力部から出力された出金パターンはＰＯＳレジスタ３００の表示部３０２に表示されるようになるが、ＰＯＳレジスタ３００の表示部３０２の表示画面は比較的大きいため操作者にとって見やすくなり、また、ＰＯＳレジスタ３００の表示部３０２に複数の出金パターンを並べて表示させることも可能となる。また、ＰＯＳレジスタ３００にタッチパネル等からなる操作表示部が設けられていてもよい。この場合には、ＰＯＳレジスタ３００における操作性をより一層向上させることができる。
【００７９】
また、上記の説明では、棒金収納装置４００において、収納ドロア４１２に収納されている棒金硬貨の金種毎の本数を検知する棒金検知部４１４として、筐体４１０における前面開口の近傍に設けられた４対の光センサ４１４ａ、４１４ｂおよび筐体４１０からの収納ドロア４１２の引き出し量を検知するロータリエンコーダ４１４ｃを有するものが用いられることを述べたが、収納ドロア４１２に収納されている棒金硬貨の金種毎の本数を検知する棒金検知部はこのような例に限定されることはない。図１０に示すように、収納ドロア４１２において各棒金硬貨が収納されるべき収納部にそれぞれ棒金検知部４１５が設けられていてもよい。これらの棒金検知部４１５には、棒金硬貨の有無検知に加えて、棒金硬貨の材質に基づいて棒金硬貨の金種を特定する機能が備えられている。この場合には、収納ドロア４１２に棒金硬貨が収納されると、対応する棒金検知部４１５によりこのことが検知されるようになるため、収納ドロア４１２を筐体４１０から手前側に引き出したり筐体４１０の内部に戻したりしなくても、収納ドロア４１２から棒金硬貨を取り出したり収納ドロア４１２に棒金硬貨を戻したりした時点で棒金硬貨の有無の検知を行うことができるようになる。また、図１０に示すような変形例に係る棒金収納装置４００でも、収納ドロア４１２の各収納部に対応してＬＥＤ等の表示部（図示せず）が設けられており、図１０に示すような変形例に係る棒金収納装置４００を備えた貨幣釣銭機において貨幣の両替処理が行われる際に、棒金収納装置４００から取り出されるべき棒金硬貨が収納された収納部に対応する表示部が点滅するようになっていてもよい。
【００８０】
また、上記の説明では、硬貨釣銭機１００、紙幣釣銭機２００、棒金収納装置４００およびＰＯＳレジスタ３００を備えた貨幣処理システムについて述べたが、本実施の形態による貨幣処理システムはこのような態様のものに限定されることはない。本実施の形態による貨幣処理システムの他の例として、硬貨釣銭機１００、紙幣釣銭機２００およびＰＯＳレジスタ３００を備えたもの（すなわち、棒金収納装置４００が設けられていないもの）や、硬貨釣銭機１００、棒金収納装置４００およびＰＯＳレジスタ３００を備えたもの（すなわち、紙幣釣銭機２００が設けられていないもの）が用いられてもよい。また、本発明では、硬貨釣銭機１００、紙幣釣銭機２００および棒金収納装置４００を備えたもの（すなわち、ＰＯＳレジスタ３００が設けられていないもの）や硬貨釣銭機１００および棒金収納装置４００を備えたもの（すなわち、紙幣釣銭機２００およびＰＯＳレジスタ３００が設けられていないもの）、あるいは硬貨釣銭機１００および紙幣釣銭機２００を備えたもの（すなわち、棒金収納装置４００およびＰＯＳレジスタ３００が設けられていないもの）が貨幣釣銭機単体として用いられてもよい。
【００８１】
また、上記の説明では、硬貨釣銭機１００、紙幣釣銭機２００および棒金収納装置４００が一体となった貨幣釣銭機について述べたが、本発明による貨幣釣銭機はこのような態様のものに限定されることはない。本発明による貨幣釣銭機の他の例として、硬貨釣銭機１００および紙幣釣銭機２００と、棒金収納装置４００とが別体で設けられたものが用いられてもよい。また、本発明による貨幣釣銭機の更に他の例として、硬貨釣銭機１００や紙幣釣銭機２００、棒金収納装置４００を複数接続したものを用いてもよい。
【符号の説明】
【００８２】
１００    硬貨釣銭機
１０１    硬貨識別部
１０３    入金搬送部
１０４    分岐部
１０６    硬貨収納部
１０８    出金搬送部
１１０    筐体
１１２    操作表示部
１１３    音声部
１１４    硬貨受入部
１１６    硬貨払出部
１１８    シャッタ
１２０    上位制御部
１３０    硬貨釣銭機制御部
１３２    インターフェース
１３４    記憶部
１３６    出金パターン出力部
１３８    処理モード設定部
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２、３０２ａ  表示部
３０４    操作部
３３０    ＰＯＳ制御部
３３２    インターフェース
３３４    記憶部
３３６    カードリーダ
３３８    印字部
４００    棒金収納装置
４１０    筐体
４１２    収納ドロア
４１４    棒金検知部
４１４ａ、４１４ｂ  光センサ
４１４ｃ  ロータリエンコーダ
４１５    棒金検知部
４１６    ロック部
４２０    表示部
４３０    棒金収納装置制御部
４３２    インターフェース
４３４    記憶部
【図１】
2016151848.tif 000003
【図２】
2016151848.tif 000004
【図３】
2016151848.tif 000005
【図４】
2016151848.tif 000006
【図５】
2016151848.tif 000007
【図６】
2016151848.tif 000008
【図７】
2016151848.tif 000009
【図８】
2016151848.tif 000010
【図９】
2016151848.tif 000011
【図１０】
2016151848.tif 000012